(57)【要約】【課題】  表示パネルの表示画面に表示される特定情報以外のその他の情報についての、操作者以外の第３者による視認性を維持した上で、特定情報についての、操作者以外の第３者による視認性を低下させることができる表示装置および表示プログラムを提供する。【解決手段】  表示装置１００において、特定表示領域設定部４１は、表示パネル１の表示画面１１に設定される複数の表示領域のうち、予め定める特定情報を表示するための表示領域を特定表示領域として設定する。そして、バックライト制御部６は、特定表示領域が設定された状態で、表示画面１１の各表示領域の輝度を制御し、特定表示領域に対応した操作面２１の領域に対するタッチ操作の位置をタッチパネル２が検出したときに、特定表示領域の輝度を、特定表示領域以外の残余の表示領域の輝度よりも低くする。【選択図】      図１
2014029645.tif 000002
【特許請求の範囲】
【請求項１】
情報を表示する複数の表示領域が設定された表示画面を有する表示部と、
前記表示画面に対応する操作面を有し、該操作面に対するタッチ操作が行われたときに、操作面におけるタッチ操作の位置を検出する検出部と、
前記複数の表示領域のうち、予め定める特定の情報を表示するための表示領域を特定表示領域として設定する特定表示領域設定部と、
前記表示画面の各表示領域の輝度を制御する輝度制御部であって、前記特定表示領域が設定された状態で、前記検出部によって検出されたタッチ操作の位置が前記特定表示領域に対応した前記操作面の領域内の位置であったときに、前記特定表示領域の輝度を、前記特定表示領域以外の残余の表示領域の輝度よりも低くする輝度制御部と、を備えることを特徴とする表示装置。
【請求項２】
情報を表示する表示画面を有する表示部と、
前記表示画面に対応する操作面を有し、該操作面に対するタッチ操作が行われたときに、操作面におけるタッチ操作の位置を検出する検出部と、
前記検出部による検出結果に基づいて、前記操作面に対して行われたタッチ操作が予め定める特定のタッチ操作であるか否かを判断する判断部と、
前記判断部が、前記操作面に対して行われたタッチ操作が前記特定のタッチ操作であると判断したときに、予め定める形状の特定表示領域と該特定表示領域以外の残余の表示領域とを前記表示画面に設定する特定表示領域設定部と、
前記表示画面の各表示領域の輝度を制御する輝度制御部であって、前記特定表示領域が設定された状態で、前記検出部によって検出されたタッチ操作の位置が前記特定表示領域に対応した前記操作面の領域内の位置であったときに、前記特定表示領域の輝度を、前記特定表示領域以外の残余の表示領域の輝度よりも低くする輝度制御部と、を備えることを特徴とする表示装置。
【請求項３】
前記表示画面に表示された情報を消去する情報消去部をさらに備え、
前記輝度制御部は、前記特定表示領域内に表示された情報が前記情報消去部によって消去されると、前記表示画面の各表示領域の輝度を同じにすることを特徴とする請求項１または２に記載の表示装置。
【請求項４】
前記特定表示領域は、個人情報を表示する領域であることを特徴とする請求項１〜３のいずれか１つに記載の表示装置。
【請求項５】
請求項１〜４のいずれか１つに記載の表示装置を動作させるプログラムであって、コンピュータを上記の各部として機能させるための表示プログラム。
【発明の詳細な説明】
【技術分野】
【０００１】
本発明は、情報を表示する表示画面を有し、この表示画面の輝度を表示領域ごとに調整することができる表示装置および表示プログラムに関する。
【背景技術】
【０００２】
不特定多数の人が往来するような公衆の場で用いられる、たとえばインフォメーションディスプレイ装置、携帯電話装置、メール端末装置、電子マネーチャージ装置、携帯情報端末装置（ＰＤＡ、Personal Digital Assistant）、現金自動取引装置（ＡＴＭ）、現金自動支払装置（ＣＤ）、また、集合会議などで用いられる電子白板システムなどには、液晶パネルなどの表示パネルと、この表示パネルと一体的に形成されたタッチパネルとを含んで構成される表示装置が備えられている。
【０００３】
このような表示装置では、操作案内情報、広告情報、集合会議などのときに視聴者に対して会議内容を示すための説明情報などの情報が表示パネルの表示画面に表示される。表示装置は、上記のような情報が表示画面に表示された状態で、タッチパネルに対するタッチ操作が行われることによって、該タッチ操作に基づく入力情報を表示画面に表示するように構成されている。
【０００４】
たとえば、現金自動取引装置に備えられる表示装置では、顧客（操作者）による現金取引の操作内容を案内する操作案内情報が表示パネルの表示画面に表示され、その操作案内情報に従って、顧客がタッチパネルに対するタッチ操作を行うことによって、現金取引が実施できる。
【０００５】
また、電子白板システムに備えられる表示装置では、集合会議の会議内容を示す説明情報が表示パネルの表示画面に表示され、その説明情報に従って操作者が会議内容の説明を行っているときに、文字などを描画するタッチ操作をタッチパネルに対して行うことによって、タッチ操作の軌跡に基づく文字などの入力情報を表示画面に表示することができる。
【０００６】
表示装置において、表示パネルの表示画面に表示される情報の中には、操作者以外の第３者が視認できないようにしたい、個人情報などの情報（以下、「特定情報」という）がある。このような特定情報を、操作者以外の第３者が視認できないようにする方法として、表示パネルの表示画面の視野角を調整する方法（特許文献１参照）、表示パネルの表示画面の輝度を調整する方法（特許文献２参照）が知られている。
【０００７】
特許文献１に開示される方法では、表示パネルの表示画面の視野角を小さくすることによって、表示画面に表示される情報が操作者以外の第３者により視認されることを防止することができる。また、特許文献２に開示される方法では、表示パネルの表示画面の輝度を低くすることによって、表示画面に表示される情報が操作者以外の第３者により視認されることを防止することができる。
【先行技術文献】
【特許文献】
【０００８】
【特許文献１】特開平１０−２４０１８６号公報
【特許文献２】特開２００５−４４８８号公報
【発明の概要】
【発明が解決しようとする課題】
【０００９】
たとえば、インフォメーションディスプレイ装置や電子白板システムでは、表示パネルの表示画面に表示される特定情報（たとえば、タッチパネルによる入力途中の入力情報、個人情報など）については、操作者以外の第３者により視認されることを防止する必要があるが、表示画面に表示されるその他の情報（インフォメーションディスプレイ装置では広告情報、電子白板システムでは説明情報など）については、操作者以外の第３者にも視認可能にする必要がある。
【００１０】
特許文献１，２に開示される方法では、表示パネルの表示画面に表示される特定情報を、操作者以外の第３者に視認させないようにする場合に、表示画面全体の視野角を小さくしたり（特許文献１）、表示画面全体の輝度を低くしたり（特許文献２）するので、表示画面に表示される、特定情報以外のその他の情報についても、操作者以外の第３者による視認が困難となってしまう。
【００１１】
本発明の目的は、表示パネルの表示画面に表示される特定情報以外のその他の情報についての、操作者以外の第３者による視認性を維持した上で、特定情報についての、操作者以外の第３者による視認性を低下させることができる表示装置、および表示プログラムを提供することである。
【課題を解決するための手段】
【００１２】
本発明は、情報を表示する複数の表示領域が設定された表示画面を有する表示部と、
前記表示画面に対応する操作面を有し、該操作面に対するタッチ操作が行われたときに、操作面におけるタッチ操作の位置を検出する検出部と、
前記複数の表示領域のうち、予め定める特定の情報を表示するための表示領域を特定表示領域として設定する特定表示領域設定部と、
前記表示画面の各表示領域の輝度を制御する輝度制御部であって、前記特定表示領域が設定された状態で、前記検出部によって検出されたタッチ操作の位置が前記特定表示領域に対応した前記操作面の領域内の位置であったときに、前記特定表示領域の輝度を、前記特定表示領域以外の残余の表示領域の輝度よりも低くする輝度制御部と、を備えることを特徴とする表示装置である。
【００１３】
また本発明は、情報を表示する表示画面を有する表示部と、
前記表示画面に対応する操作面を有し、該操作面に対するタッチ操作が行われたときに、操作面におけるタッチ操作の位置を検出する検出部と、
前記検出部による検出結果に基づいて、前記操作面に対して行われたタッチ操作が予め定める特定のタッチ操作であるか否かを判断する判断部と、
前記判断部が、前記操作面に対して行われたタッチ操作が前記特定のタッチ操作であると判断したときに、予め定める形状の特定表示領域と該特定表示領域以外の残余の表示領域とを前記表示画面に設定する特定表示領域設定部と、
前記表示画面の各表示領域の輝度を制御する輝度制御部であって、前記特定表示領域が設定された状態で、前記検出部によって検出されたタッチ操作の位置が前記特定表示領域に対応した前記操作面の領域内の位置であったときに、前記特定表示領域の輝度を、前記特定表示領域以外の残余の表示領域の輝度よりも低くする輝度制御部と、を備えることを特徴とする表示装置である。
【００１４】
また本発明の表示装置は、前記表示画面に表示された情報を消去する情報消去部をさらに備え、
前記輝度制御部は、前記特定表示領域内に表示された情報が前記情報消去部によって消去されると、前記表示画面の各表示領域の輝度を同じにすることを特徴とする。
【００１５】
また本発明の表示装置において、前記特定表示領域は、個人情報を表示する領域であることを特徴とする。
【００１６】
また本発明は、前記表示装置を動作させるプログラムであって、コンピュータを上記の各部として機能させるための表示プログラムである。
【発明の効果】
【００１７】
本発明によれば、表示装置は、表示部、検出部、特定表示領域設定部、および輝度制御部を備える。表示部は、情報を表示する複数の表示領域が設定された表示画面を有する。検出部は、前記表示画面に対応する操作面を有し、該操作面に対するタッチ操作が行われたときに、操作面におけるタッチ操作の位置を検出する。特定表示領域設定部は、前記複数の表示領域のうち、予め定める特定の情報を表示するための表示領域を特定表示領域として設定する。輝度制御部は、前記特定表示領域が設定された状態で、表示画面の各表示領域の輝度を制御し、特定表示領域に対応した操作面の領域に対するタッチ操作の位置を検出部が検出したときに、特定表示領域の輝度を、特定表示領域以外の残余の表示領域の輝度よりも低くする。
【００１８】
このように構成された表示装置では、表示画面において、特定表示領域以外の残余の表示領域に表示された情報についての、操作者以外の第３者による視認性を維持した上で、特定表示領域に表示された特定情報についての、操作者以外の第３者による視認性を低下させることができる。
【００１９】
また本発明によれば、表示装置は、表示部、検出部、判断部、特定表示領域設定部、および輝度制御部を備える。表示部は、情報を表示する表示画面を有する。検出部は、前記表示画面に対応する操作面を有し、該操作面に対するタッチ操作が行われたときに、操作面におけるタッチ操作の位置を検出する。判断部は、検出部による検出結果に基づいて、操作面に対して行われたタッチ操作が予め定める特定のタッチ操作であるか否かを判断する。特定表示領域設定部は、操作面に対して行われたタッチ操作が前記特定のタッチ操作であると判断されたときに、予め定める形状の特定表示領域を表示画面に設定する。輝度制御部は、前記特定表示領域が設定された状態で、表示画面の各表示領域の輝度を制御し、特定表示領域に対応した操作面の領域に対するタッチ操作の位置を検出部が検出したときに、特定表示領域の輝度を、特定表示領域以外の残余の表示領域の輝度よりも低くする。
【００２０】
このように構成された表示装置では、表示画面において、特定表示領域以外の残余の表示領域に表示された情報についての、操作者以外の第３者による視認性を維持した上で、特定表示領域に表示された特定情報についての、操作者以外の第３者による視認性を低下させることができる。
【００２１】
また本発明によれば、表示装置は、表示画面に表示された情報を消去する情報消去部をさらに備える。そして、輝度制御部は、特定表示領域内に表示された情報を情報消去部が消去したときに、表示画面の各表示領域の輝度が同じとなるように、表示画面の輝度を制御する。これによって、特定表示領域に特定情報が表示されていないときに、表示画面の輝度を均一にすることができ、表示画面に表示される情報の視認性を高い状態で維持することができる。
【００２２】
また本発明によれば、表示画面に設定される特定表示領域は、個人情報を表示する領域である。本発明の表示装置では、特定表示領域に情報が表示されているときに、特定表示領域の輝度が低くなるように、輝度制御部によって表示画面の輝度が制御されるので、特定情報として個人情報が特定表示領域に表示された場合であっても、この個人情報についての、操作者以外の第３者による視認性を低下させることができる。
【００２３】
また本発明によれば、表示プログラムは、前記表示装置を動作させるプログラムであって、コンピュータを上記の各部として機能させるためのプログラムである。このような表示プログラムは、表示画面に表示される特定情報以外のその他の情報についての、操作者以外の第３者による視認性を維持した上で、特定情報についての、操作者以外の第３者による視認性を低下させることが可能な表示処理を、ソフトウェアで制御することができる。
【図面の簡単な説明】
【００２４】
【図１】本発明の第１実施形態に係る表示装置１００の構成を示す図である。
【図２】表示装置１００の表示処理に関する動作を示すフローチャートである。
【図３】本発明の第２実施形態に係る表示装置２００の構成を示す図である。
【図４】表示装置２００の表示処理に関する動作を示すフローチャートである。
【発明を実施するための形態】
【００２５】
（表示装置）
図１は、本発明の第１実施形態に係る表示装置１００の構成を示す図である。本実施形態に係る表示装置１００は、不特定多数の人が往来するような公衆の場で用いられる、たとえばインフォメーションディスプレイ装置に備えられる表示装置である。表示装置１００は、表示部である表示パネル１と、検出部であるタッチパネル２と、バックライト装置３と、表示制御部４と、タッチパネル制御部５と、輝度制御部であるバックライト制御部６とを含んで構成される。
【００２６】
表示パネル１は、たとえば液晶表示パネルである。表示パネル１は、後述する表示制御部４によって制御され、情報を表示する複数の表示領域が設定された、矩形状の表示画面１１を有する。表示画面１１には、ＸＹ直交座標が設定され、この直交座標は、表示画面１１に向かって左上の頂点を原点とし、右方向をＸ軸の正方向、下方向をＹ軸の正方向とする座標である。
【００２７】
タッチパネル２は、表示画面１１に対応する操作面２１を有する。具体的には、タッチパネル２は、表示画面１１に重ね合わせて設けられ、表示パネル１と一体的に形成される。このタッチパネル２は、表示画面１１に接触する面とは反対側に形成される矩形状の操作面２１を有し、操作面２１に対するタッチ操作が行われたときに、操作面２１におけるタッチ操作の位置を検出する。操作面２１には、表示画面１１と同様のＸＹ直交座標が設定されている。
【００２８】
タッチパネル２は、投影型静電容量方式タッチパネル、抵抗膜方式タッチパネル、赤外線遮断検出方式タッチパネルなどから構成される。タッチパネル２は、操作面２１に手指などの接触によるタッチ操作（入力操作）が行われている間、連続的に、接触した位置を検出するとともに、その接触位置を示す位置情報をタッチパネル制御部５に出力する。
【００２９】
ここで、タッチ操作とは、操作面２１への接触が開始してから接触が終了するまでの、操作面２１に対する一連の操作である。たとえば、操作者が、手指やタブレットペン等のポインティングデバイスなどで操作面２１に触れ、接触点を動かさずに、手指やポインティングデバイスなどを操作面２１から離す一連の操作を行うとき、すなわち、操作面２１に対して接触点の移動を伴わないタッチ操作を行うとき、この操作は操作面２１に対する点入力操作である。また、たとえば、操作者が、手指やポインティングデバイスなどで操作面２１に触れ、触れたまま接触点を移動させ、手指やポインティングデバイスなどを操作面２１から離す一連の操作を行うとき、すなわち、操作面２１に対して面方向の接触点の移動を伴うタッチ操作を行うとき、この操作は操作面２１に対する線入力操作である。
【００３０】
バックライト装置３としては、冷陰極管や発光ダイオード（ＬＥＤ：Light Emitting Diode）などの光源を底面に並べて光を出す直下型と、冷陰極管やＬＥＤなどの光源を導光板と呼ばれる透明な板のエッジ部に配して、導光板エッジから光を通して背面に設けられたドット印刷やパターン形状によって前面に光を出すエッジライト型とがある。本実施形態のバックライト装置３は、光源として複数のＬＥＤが用いられた、直下型の装置である。
【００３１】
バックライト装置３は、表示パネル１の背面側（表示画面１１とは反対側）に設けられ、表示パネル１の背面にバックライト光を照射する。バックライト装置３は複数のＬＥＤを含んでおり、複数のＬＥＤは、表示パネル１の表示画面１１に設定されるＸＹ直交座標におけるＸ座標軸に平行な行方向にｉ個ずつ、Ｙ座標軸に平行な列方向にｊ個ずつ、全体としてマトリクス状に配置される。
【００３２】
タッチパネル制御部５は、タッチパネル２から出力された位置情報に基づいて、タッチパネル２への接触の有無および接触した位置の座標を検出する。タッチパネル制御部５は、接触検出部５１と、位置検出部５２と、時間測定部５３とを含む。
【００３３】
接触検出部５１は、タッチパネル２から位置情報が出力されている場合にタッチパネル２への接触があることを検出し、タッチパネル２から位置情報が出力されていない場合にタッチパネル２への接触がないことを検出する。
【００３４】
位置検出部５２は、接触検出部５１がタッチパネル２への接触があることを検出した場合に、タッチパネル２から出力された位置情報に基づいて、操作面２１への接触によるタッチ操作の、操作面２１上の接触位置を示す位置座標を検出する。
【００３５】
時間測定部５３は、特定の状態になった時からの経過時間を計測する。この計測は、該特定の状態を維持しなくなるか、あるいは、所定の時間を経過するまで行われる。なお、「特定の状態になった時」とは、位置検出部５２が位置座標を検出しなくなった時や、位置検出部５２が同じ位置座標を連続して検出するようになった時が挙げられる。
【００３６】
表示制御部４は、表示パネル１の表示画面１１への情報の表示を制御するものである。この表示制御部４は、特定表示領域設定部４１と、情報消去部４２と、特定表示領域位置レジスタ４３と、特定表示領域輝度レジスタ４４と、表示領域輝度レジスタ４５とを含む。
【００３７】
特定表示領域設定部４１は、表示パネル１の表示画面１１に設定された複数の表示領域のうち、予め定める特定の情報を表示するための表示領域を特定表示領域として設定する。前記予め定める特定の情報（特定情報）としては、個人情報などが挙げられる。また、表示画面１１において、特定表示領域以外の残余の表示領域としては、広告情報、検索結果表示情報（たとえば、特定表示領域に対してタッチ操作によって検索入力された場合に応答した情報）などの情報を表示するための領域が挙げられる。
【００３８】
情報消去部４２は、表示パネル１の表示画面１１に表示された情報を消去する。特定表示領域位置レジスタ４３は、特定表示領域設定部４１によって設定された特定表示領域の、表示画面１１における位置（座標位置）を記憶する。特定表示領域輝度レジスタ４４は、後述するバックライト制御部６が、表示画面１１の輝度を制御するときに、特定表示領域に設定する輝度を記憶する。表示領域輝度レジスタ４５は、バックライト制御部６が、表示画面１１の輝度を制御するときに、特定表示領域以外の残余の表示領域に設定する輝度を記憶する。特定表示領域輝度レジスタ４４および表示領域輝度レジスタ４５に記憶される輝度は、それぞれ予め定められた値であり、表示領域輝度レジスタ４５に記憶される輝度が「１００」である場合、特定表示領域輝度レジスタ４４に記憶される輝度は、たとえば「７０」である。
【００３９】
バックライト制御部６は、バックライト装置３による表示パネル１に対するバックライト光の照射状態を制御し、表示パネル１の表示画面１１の輝度を制御する制御部である。このバックライト制御部６は、特定表示領域設定部４１によって特定表示領域が設定された状態で、表示画面１１の各表示領域の輝度を制御し、特定表示領域に対応した操作面２１の領域に対するタッチ操作の位置をタッチパネル２が検出したときに、特定表示領域輝度レジスタ４４および表示領域輝度レジスタ４５に記憶される輝度値を読み出して、特定表示領域の輝度を、特定表示領域以外の残余の表示領域の輝度よりも低くする。なお、バックライト制御部６は、表示画面１１における特定表示領域の位置（座標位置）を、特定表示領域位置レジスタ４３に記憶された座標位置に基づいて認識する。
【００４０】
また、バックライト制御部６は、特定表示領域設定部４１によって特定表示領域が設定されていない場合、および、特定表示領域設定部４１によって設定された特定表示領域が表示制御部４によって解除された場合には、表示画面１１の各表示領域の輝度が同じとなるように、表示画面１１の輝度を制御する。すなわち、バックライト制御部６は、上記のような場合には、表示画面１１の輝度を均一にする。
【００４１】
次に、本実施形態の表示装置１００の動作について、図２を参照しながら説明する。図２は、表示装置１００の表示処理に関する動作を示すフローチャートである。
【００４２】
ステップＳ１では、タッチパネル制御部５は、接触検出部５１による検出結果に基づいて、特定表示領域設定部４１によって特定表示領域が設定された状態で、該特定表示領域に対応する操作面２１の領域内に対するタッチ操作が開始されたか否かを判断する。タッチパネル制御部５が、特定表示領域に対応する操作面２１の領域内に対するタッチ操作が開始されたと判断した場合にはステップＳ２に進み、特定表示領域に対応する操作面２１の領域内に対するタッチ操作が開始されていないと判断した場合にはステップＳ４に進む。
【００４３】
ステップＳ２では、バックライト制御部６は、特定表示領域輝度レジスタ４４および表示領域輝度レジスタ４５に記憶される輝度値を読み出して、特定表示領域の輝度を、特定表示領域以外の残余の表示領域の輝度よりも低くする。これによって、表示装置１００では、表示パネル１の表示画面１１において、特定表示領域以外の残余の表示領域に表示された情報についての、操作者以外の第３者による視認性を維持した上で、特定表示領域に表示された特定情報についての、操作者以外の第３者による視認性を低下させることができる。
【００４４】
次に、ステップＳ３では、表示制御部４は、情報消去部４２によって特定表示領域内に表示されている情報が消去されたか否かを判断する。表示制御部４が、特定表示領域内に表示されている情報が消去されたと判断した場合にはステップＳ４に進み、特定表示領域内に表示されている情報が消去されていないと判断した場合にはステップＳ２に戻る。
【００４５】
ステップＳ４では、バックライト制御部６は、表示画面１１の各表示領域の輝度が同じとなるように、表示画面１１の輝度を制御する。このように、バックライト制御部６は、特定表示領域内に表示された情報を情報消去部４２が消去したときに、表示画面１１の各表示領域の輝度が同じとなるように、表示画面１１の輝度を制御する。これによって、特定表示領域に特定情報が表示されていないときに、表示画面１１の輝度を均一にすることができ、表示画面１１に表示される情報の視認性を高い状態で維持することができる。
【００４６】
図３は、本発明の第２実施形態に係る表示装置２００の構成を示す図である。本実施形態の表示装置２００は、前述した表示装置１００に類似し、対応する部分については同一の参照符号を付して説明を省略する。表示装置２００は、表示制御部４Ａの構成が表示装置１００の表示制御部４と異なること以外は、表示装置１００と同様に構成される。
【００４７】
本実施形態に係る表示装置２００は、集合会議などで用いられる電子白板システムに備えられる表示装置である。
【００４８】
表示装置２００が備える表示制御部４Ａは、表示パネル１の表示画面１１への情報の表示を制御するものである。この表示制御部４Ａは、判断部４１Ａと、特定表示領域設定部４２Ａと、情報消去部４３Ａと、特定表示領域位置レジスタ４４Ａと、特定表示領域輝度レジスタ４５Ａと、表示領域輝度レジスタ４６Ａとを含む。
【００４９】
判断部４１Ａは、タッチパネル制御部５による、タッチパネル２の操作面２１に対するタッチ操作に関する検出結果に基づいて、操作面２１に対して行われたタッチ操作が予め定める特定のタッチ操作であるか否かを判断する。前記特定のタッチ操作とは、表示パネル１の表示画面１１に特定表示領域を設定するためのタッチ操作である。
【００５０】
特定表示領域設定部４２Ａは、操作面２１に対して行われたタッチ操作が判断部４１Ａによって前記特定のタッチ操作（特定タッチ操作）であると判断されたときに、予め定める形状（たとえば矩形状）の特定表示領域を表示画面１１に設定する。
【００５１】
情報消去部４３Ａは、表示パネル１の表示画面１１に表示された情報を消去する。特定表示領域位置レジスタ４４Ａは、特定表示領域設定部４２Ａによって設定された特定表示領域の、表示画面１１における位置（座標位置）を記憶する。特定表示領域輝度レジスタ４５Ａは、バックライト制御部６が、表示画面１１の輝度を制御するときに、特定表示領域に設定する輝度を記憶する。表示領域輝度レジスタ４６Ａは、バックライト制御部６が、表示画面１１の輝度を制御するときに、特定表示領域以外の残余の表示領域に設定する輝度を記憶する。特定表示領域輝度レジスタ４５Ａおよび表示領域輝度レジスタ４６Ａに記憶される輝度は、それぞれ予め定められた値であり、表示領域輝度レジスタ４６Ａに記憶される輝度が「１００」である場合、特定表示領域輝度レジスタ４５Ａに記憶される輝度は、たとえば「７０」である。
【００５２】
次に、本実施形態の表示装置２００の動作について、図４を参照しながら説明する。図４は、表示装置２００の表示処理に関する動作を示すフローチャートである。
【００５３】
ステップａ１では、判断部４１Ａは、タッチパネル制御部５による、タッチパネル２の操作面２１に対するタッチ操作に関する検出結果に基づいて、操作面２１に対して行われたタッチ操作が特定タッチ操作であるか否かを判断する。判断部４１Ａが、操作面２１に対して特定タッチ操作が行われたと判断した場合にはステップａ２に進み、特定タッチ操作が行われていないと判断した場合にはステップａ１を繰返す。
【００５４】
ステップａ２では、特定表示領域設定部４２Ａは、予め定める形状（たとえば矩形状）の特定表示領域を表示画面１１に設定する。
【００５５】
次に、ステップａ３では、タッチパネル制御部５は、接触検出部５１による検出結果に基づいて、特定表示領域設定部４２Ａによって特定表示領域が設定された状態で、該特定表示領域に対応する操作面２１の領域内に対するタッチ操作が開始されたか否かを判断する。タッチパネル制御部５が、特定表示領域に対応する操作面２１の領域内に対するタッチ操作が開始されたと判断した場合にはステップａ４に進み、特定表示領域に対応する操作面２１の領域内に対するタッチ操作が開始されていないと判断した場合にはステップａ６に進む。
【００５６】
ステップａ４では、バックライト制御部６は、特定表示領域輝度レジスタ４５Ａおよび表示領域輝度レジスタ４６Ａに記憶される輝度値を読み出して、特定表示領域の輝度を、特定表示領域以外の残余の表示領域の輝度よりも低くする。これによって、表示装置２００では、表示パネル１の表示画面１１において、特定表示領域以外の残余の表示領域に表示された情報についての、操作者以外の第３者による視認性を維持した上で、特定表示領域に表示された特定情報についての、操作者以外の第３者による視認性を低下させることができる。また、特定表示領域の輝度が低くなっているので、操作者が特定表示領域に対応する操作面２１の領域に対してタッチ操作するとき（特定表示領域内に表示するための情報を入力するとき）に、眩しさによる不快感を抱くのを軽減することができる。
【００５７】
次に、ステップａ５では、表示制御部４Ａは、情報消去部４３Ａによって特定表示領域内に表示されている情報が消去されたか否かを判断する。表示制御部４Ａが、特定表示領域内に表示されている情報が消去されたと判断した場合にはステップａ６に進み、特定表示領域内に表示されている情報が消去されていないと判断した場合にはステップａ４に戻る。
【００５８】
ステップａ６では、バックライト制御部６は、表示画面１１の各表示領域の輝度が同じとなるように、表示画面１１の輝度を制御する。このように、バックライト制御部６は、特定表示領域内に表示された情報を情報消去部４３Ａが消去したときに、表示画面１１の各表示領域の輝度が同じとなるように、表示画面１１の輝度を制御する。これによって、特定表示領域に特定情報が表示されていないときに、表示画面１１の輝度を均一にすることができ、表示画面１１に表示される情報の視認性を高い状態で維持することができる。
【００５９】
（表示プログラム）
前記表示装置１００，２００における、表示パネル１、タッチパネル２、表示制御部４，４Ａ、タッチパネル制御部５、バックライト制御部６などの、表示装置１００，２００を構成する各部を機能させる表示プログラムは、コンピュータを表示装置１００，２００として動作させるプログラムである。この表示プログラムは、従来公知の、コンピュータ読み取り可能な記録媒体に記録できる。
【００６０】
前記表示プログラムを記録媒体に記録することで、表示プログラムに基づく処理を実行するためのプログラムコード（実行形式プログラム、中間コードプログラムおよびソースプログラムなど）を記録した記録媒体を持ち運び自在に提供することができる。
【００６１】
なお、記録媒体は、マイクロコンピュータが処理を行うためのメモリ、たとえばＲＯＭ（Read Only Memory）のようなプログラムメディアであってもよいし、または、コンピュータが外部記憶装置として備えるプログラム読取装置に挿入することで読み取られるプログラムメディアであってもよい。
【００６２】
記録媒体に格納されているプログラムは、マイクロプロセッサが記録媒体にアクセスして実行する方式であってもよいし、または、マイクロプロセッサが記録媒体からプログラムコードを読み出し、読み出されたプログラムコードがマイクロコンピュータのプログラム記憶エリアにダウンロードされることで、そのプログラムが実行される方式であってもよい。このダウンロード用のプログラムは予め本体装置に格納されているものとする。
【００６３】
ここで、前記プログラムメディアは、本体と分離可能に構成される記録媒体であり、磁気テープ、カセットテープなどのテープ系、フレキシブルディスク、ハードディスクなどの磁気ディスク、ＣＤ−ＲＯＭ（Compact Disc-Read Only Memory）、ＭＯ（Magneto Optical disc）、ＭＤ（Mini Disc）、ＤＶＤ（Digital Versatile Disc）などの光ディスク系、ＩＣ（Integrated Circuit）カード（メモリカードを含む）、光カードなどのカード系、あるいはマスクＲＯＭ、ＥＰＲＯＭ（Erasable Programmable Read Only Memory）、ＥＥＰＲＯＭ（登録商標）（Electrically Erasable Programmable Read Only Memory）、フラッシュＲＯＭなどによる半導体メモリを含めた固定的にプログラムを担持する媒体であってもよい。
【００６４】
また、コンピュータが、インターネットを含む通信ネットワークを接続可能なシステム構成であれば、記録媒体は、通信ネットワークからプログラムコードをダウンロードするように、流動的にプログラムコードを担持する媒体であってもよい。なお、このように通信ネットワークからプログラムをダウンロードする場合には、そのダウンロード用のプログラムは予め本体装置に格納しておくか、または他の記録媒体からインストールしておく。また、前記表示プログラムは、前記プログラムコードが電子的な伝送で具現化された、搬送波に埋め込まれたコンピュータデータ信号の形態でも実現され得る。
【符号の説明】
【００６５】
１  表示パネル
２  タッチパネル
３  バックライト装置
４，４Ａ  表示制御部
５  タッチパネル制御部
６  バックライト制御部
１１  表示画面
２１  操作面
４１，４２Ａ  特定表示領域設定部
４１Ａ  判断部
４２，４３Ａ  情報消去部
４３，４４Ａ  特定表示領域位置レジスタ
４４，４５Ａ  特定表示領域輝度レジスタ
４５，４６Ａ  表示領域輝度レジスタ
５１  接触検出部
５２  位置検出部
５３  時間測定部
１００，２００  表示装置
【図１】
2014029645.tif 000003
【図２】
2014029645.tif 000004
【図３】
2014029645.tif 000005
【図４】
2014029645.tif 000006